(57)【特許請求の範囲】
【請求項１】
シートスルー方式によって原稿を読み込む際に使用される第１プラテンと、この第１プラテンに対して複数枚の原稿を連続して送り込む自動原稿搬送手段と、上記第１プラテンに隣接して設けらにれると共にブック原稿を読み込む際に使用される第２プラテンと、これら第１プラテンと第２プラテンとの間に設けられた仕切り部材と、第１プラテン及び第２プラテンの下面側に沿って移動自在に設けられ、上記第１プラテンを使用した原稿画像の読み込みの際には該第１プラテンの直下に固定される一方、上記第２プラテンを使用した原稿画像の読み込みの際には該第２プラテンに沿って移動しながら原稿画像の走査を行う走査部材とを備えた原稿読取装置において、
上記仕切り部材を第１プラテンに対して着脱自在に設けると共に、この仕切り部材及び第２プラテンを取り外して保守作業を行う際には、上記走査部材が読取待機位置とは別に設けた退避位置に移動設定されることを特徴とする原稿読取装置。
【請求項２】
上記退避位置は第１プラテンの直下であることを特徴とする請求項１記載の原稿読取装置。
【請求項３】
上記退避位置は第２プラテンにおける仕切り部材と反対側の端部の直下であることを特徴とする請求項１記載の原稿読取装置
【請求項４】
上記仕切り部材の取り外し作業に連動して、上記走査部材が読取待機位置から退避位置に設定されることを特徴とする請求項１記載の原稿読取装置。
【請求項５】
主電源のＯＦＦがなされた際に上記走査部材が読取待機位置から退避位置に設定されることを特徴とする請求項１記載の原稿読取装置。
【請求項６】
原稿の読取動作中に異常動作又は故障が発生した際、上記走査部材が退避位置に設定されることを特徴とする請求項１記載の原稿読取装置。
【発明の詳細な説明】
【０００１】
【発明の属する技術分野】
本発明は、複写機やファクシミリ等において原稿画像を入力するための原稿読取装置に係り、詳細には、原稿を搬送しながら該原稿画像を読み込む所謂シートスルー方式と、原稿を固定した状態で該原稿画像を読み込む所謂光学系移動方式との双方を実施することが可能な原稿読取装置の改良に関する。
【０００２】
【従来の技術】
複写機やファクシミリにおいては、原稿をコピー又は送信するというその機能上、原稿画像を入力するための原稿読取装置が不可欠である。この種の原稿読取装置は、原稿画像を走査する方法に二つのタイプがある。一つは、プラテン上に原稿を一時的に静止させ、照明ランプやミラーを搭載した走査部材をプラテン下で移動させながら走査を行う所謂光学系移動方式であり、もう一つは、逆に上記走査部材をプラテン下で静止させ、原稿をプラテン上で搬送しながらその画像を取り込む所謂シートスルー方式である。
【０００３】
前者の光学系移動方式は用紙等の通常の原稿のみならず、本、雑誌等の所謂ブック原稿の画像も入力することができる反面、原稿をプラテン上で静止させる必要があることから、単位時間当たりの入力枚数を大きく設定することができず、生産性に劣る。一方、後者のシートスルー方式は複数枚原稿を素早く連続して入力することができ、生産性に優れている反面、厚紙やブック原稿を入力できないことから、取り扱うことのできる原稿の種類に限りがある。
【０００４】
このことから、近年では光学系移動方式及びシートスルー方式のいずれによっても原稿画像を入力することが可能な画像読取装置が登場しており、主に、複写機とファクシミリの両方の機能を併せ持った複合機に搭載されている。この画像読取装置は、シートスルー方式によって原稿を読み込む際に使用される第１プラテンと、この第１プラテンに対して複数枚の原稿を連続して送り込む自動原稿搬送手段と、上記第１プラテンに隣接して設けらにれると共にブック原稿を読み込む際に使用される第２プラテンと、第１プラテン及び第２プラテンの下面側に沿って移動自在に設けられた走査部材とを備えており、シートスルー方式による場合は上記走査部材を第１プラテンの直下に静止させ、第１プラテンに密着しながら、又は第１プラテンと僅かに隙間を保って副走査方向へ移動する原稿の画像を読み込む一方、光学系移動方式による場合は上記走査部材を第２プラテンに沿った副走査方向へ移動させ、かかる第２プラテン上にセットされた原稿の画像を読み込むように構成されている。これにより、用紙等の通常原稿の場合にはシートスルー方式で複数枚原稿を素早く読み取ることができ、また、ブック原稿等の特殊な原稿の場合であっても、第２プラテンを用いることでコピーやファクシミリ送信が可能となっている。
【０００５】
【発明が解決しようとする課題】
このような原稿読取装置においては、第１プラテンと第２プラテンとの間に仕切り部材が設けられており、この仕切り部材には第１プラテン側に傾斜面が設けられている。この傾斜面は第１プラテンに密着するようにして搬送された原稿の先端を持ち上げ、自動原稿搬送手段が該原稿を排出トレイに送り出すのを助けている。その反面、シートスルー方式によって第１プラテンを通過する原稿は総てこの仕切り部材の傾斜面に摺接して搬送されるので、原稿に付着していた消しゴム屑や埃等が上記傾斜面と第１プラテンとの境界部に溜まり易い
【０００６】
一方、上記走査部材の初期移動量を小さくして読取ジョブを円滑に開始できるようにするため、かかる読取ジョブの開始前における上記走査部材の読取待機位置は第２プラテンの仕切り部材側の端部に対応しており、走査部材が仕切り部材の極近傍に停止している。
【０００７】
このため、内部部品の交換や光学系部品の清掃に当たり、上記仕切り部材を第２プラテンと共に取り外そうとすると、仕切り部材の傾斜面の裾に溜まっていた異物が内部に落下してしまい、仕切り部材の下方に停止していた走査部材のミラーや照明ランプ等に付着してしまうといったトラブルがあった。そして、仮に、ミラーや照明ランプに異物が付着した状態で原稿画像の読み込みを行うと、入力した画像には副走査方向に沿って黒すじが発生してしまい、画像品質が著しく低下してしまう。
【０００８】
本発明はこのような問題点に鑑みなされたものであり、その目的とするところは、第１プラテンと第２プラテンとの間に設けられた仕切り部材を取り外して内部部品の交換や光学部品の清掃作業を行う場合に、かかる仕切り部材に付着していた異物が走査部材に付着してしまうトラブルを防止し、かかる付着に起因する画像品質の低下を防止することが可能な原稿読取装置を提供することにある。
【０００９】
【課題を解決するための手段】
上記目的を達成するために、本発明の原稿読取装置は、シートスルー方式によって原稿を読み込む際に使用される第１プラテンと、この第１プラテンに対して複数枚の原稿を連続して送り込む自動原稿搬送手段と、上記第１プラテンに隣接して設けらにれると共にブック原稿を読み込む際に使用される第２プラテンと、これら第１プラテンと第２プラテンとの間に設けられた仕切り部材と、第１プラテン及び第２プラテンの下面側に沿って移動自在に設けられ、上記第１プラテンを使用した原稿画像の読み込みの際には該第１プラテンの直下に固定される一方、上記第２プラテンを使用した原稿画像の読み込みの際には該第２プラテンに沿って移動しながら原稿画像の走査を行う走査部材とを備え、上記仕切り部材を第１プラテンに対して着脱自在に設けると共に、この仕切り部材及び第２プラテンを取り外して保守作業を行う際には、上記走査部材が読取待機位置とは別に設けた退避位置に移動設定されることを特徴とするものである。
【００１０】
原稿読取装置の主電源が投入された状態では、第１プラテンを用いたシートスルー方式による原稿画像の読み取り、第２プラテンを用いた光学系移動方式による原稿画像の読み取りの双方に迅速に対応し得るよう、照明ランプやミラーを搭載した走査部材は第１プラテンと第２プラテンとの中間に位置する仕切り部材の近傍に設定されているのが好ましい。この場合、走査部材が読み取り待機位置に設定されたままの状態で保守作業が行われ、上記仕切り部材が取り外されると、走査部材の上方は開放されるので、かかる仕切り部材に付着していた消しゴム屑や埃等が下方に位置する走査部材に降り注ぐ結果となってしまう。
【００１１】
しかし、本発明の如く、仕切り部材及び第２プラテンを取り外して保守作業を行う際に、走査部材を読み取り待機位置とは別個に設けた退避位置に設定し直すように構成すれば、かかる走査部材を仕切り部材から遠ざけ、あるいは上方が覆われた空間内に収容した状態で仕切り部材の取り外し作業を行うことができ、照明ランプやミラーといった光学部品に対して異物が付着するのを可及的に防止することが可能となる。
【００１２】
ここで、上記退避位置としては、例えば上記保守作業に当たって第１プラテンを取り外さないとすれば、第１プラテンの直下であっても良い。プラテンと走査部材との隙間は極僅か（例えば２ｍｍ程度）であることから、第１プラテンの下側に走査部材を退避させれば、仕切り部材から落下した異物が走査部材に降り注ぐこともなく、照明ランプ等の汚れを未然に防止することが可能となる。換言すれば、光学系部品の保守作業の際にも、上記走査部材を上方空間に対して遮蔽することが可能な空間を退避位置に設定するのが好ましいことになる。
【００１３】
また、このように退避位置において走査部材を仕切り部材に対して遮蔽するのではなく、仕切り部材から離れた位置に設定してしまうのも効果的である。すなわち、第２プラテンにおける仕切り部材と反対側の端部の直下を退避位置とし、保守作業の際には第２プラテンの下方を横切るようにして読み取り待機位置から退避位置へ設定するように構成してもよい。このように退避位置を設定すれば、保守作業の際に仕切り部材から落下した異物が走査部材に付着することもない。
【００１４】
一方、走査部材を読み取り待機位置から退避位置に設定するタイミングであるが、このタイミングはユーザが自由に退避位置への移動指令を入力し得るように構成しても良いし、何らかの動作に応じてユーザが意識することなく自動的に設定されるように構成しても良い。後者の自動的に設定される例としては、主電源がオフされた時、原稿の読み取り動作中に異常動作が発生した時等であり、これらの時には引き続いて保守作業が行われる可能性が高いことから、走査部材を読取待機位置から退避位置へ自動的に設定する。また、仕切り部材及び第２プラテンの取り外し作業を光学センサなどで検知し、その検知結果に基づいて走査部材を退避位置に設定するように構成しても良い。
【００１５】
【発明の実施の形態】
以下、添付図面に基づいて本発明の原稿読取装置を詳細に説明する。
図１は本発明の原稿読取装置が付設されるデジタル複写機１の外観を示す斜視図である。この複写機１は、原稿画像を読み取って画像信号に変換する画像読取装置としての画像入力部（ＩＩＴ）２と、この画像入力部２から送出される画像信号に基づいて記録シート上に複写画像を形成する画像出力部（ＩＯＴ）３とから構成されている。
【００１６】
上記画像入力部２は自動原稿供給装置（ＡＤＦ）４を備え、図１はこのＡＤＦ４を持ち上げた状態を示している。この画像入力部２は、ＡＤＦ４を用いながら原稿画像を読み取るための第１プラテン２０と、ＡＤＦ４を用いずに手動で原稿画像を読み込むための第２プラテン２１とを備え、後者の第２プラテン２１が原稿全面をセットし得るよう大きく形成されているのに対し、前者の第１プラテン２０は第２プラテン２１の縁部に沿って主走査方向（複写機の奥行き方向）に細長く形成されている。
【００１７】
図２は上記画像入力部２の構成を示す概略図であり、ＡＤＦ４をプラテン２０，２１上に閉じた状態を示している。この画像入力部２の筐体２２の内部には、第１又は第２プラテン２０，２１を通して原稿５を照らす照明ランプ２３と、この照明ランプ２３による原稿の反射光をプラテン２１の下面に沿った方向へ反射する第１ミラー２４と、この第１ミラー２４からの反射光を平行に折り返す第２及び第３ミラー２５，２６と、この第３ミラー２６の反射光がレンズ２７によって結像されるＣＣＤセンサ２８とから構成されており、原稿５の反射光が複数枚のミラーを介してＣＣＤセンサ２８に入力されることにより、原稿画像が光を介して電気的な画像信号に変換されるようになっている。上記照明ランプ２３及び第１ミラー２４は第１及び第２プラテン２０，２１の下面に沿って移動可能な走査部材としての第１キャリッジ３０に搭載される一方、第２及び第３ミラー２５，２６はルーフミラーとして第２キャリッジ３１に搭載されており、この第２キャリッジ３１は第１キャリッジ３０の移動に合わせて同一方向へ半分の速度で移動するように構成されている。そして、上記第２プラテン２１を使用して原稿画像の読み込みを行う際には、上記第１キャリッジ３０が当該プラテン２１下を移動して原稿５の走査をなす一方、第１プラテン２０を使用して原稿画像の読み込みを行う際には、上記第１キャリッジ３０が当該プラテン２０下に固定され、第１プラテン２０上を通過する原稿５を走査するようになっている。すなわち、この画像入力部２において、ＡＤＦ４で取り扱うことのできない本等の読み込みは原稿を動かすことなく光学系を移動させてこれを行い、ＡＤＦ４で取り扱うことのできる原稿は光学系を移動させることなく原稿を移動させてこれを行うものである。
【００１８】
一方、上記ＡＤＦ４は、原稿５がセットされる原稿トレイ４０と、この原稿トレイ４０から一枚ずつ引き込んだ原稿５を上記第１プラテン２０に給送する原稿搬送部４１と、上記第１プラテン２０を通過した入力済み原稿５が排出される原稿排出トレイ４２とから構成されており、上記第１プラテン２０及び第２プラテン２１を覆うように、且つ、これらプラテン２０，２１に対して開閉自在に設けられている。
【００１９】
上記原稿搬送部４１は、原稿トレイ４０上に積まれた原稿５を原稿搬送部４１内に引き込むピックアップロール４３と、複数枚の原稿５を一枚ずつに分離して給送するための給紙ロール４４と、この給紙ロール４４と対向して配置され原稿５の重送を防止するリタードロール４５と、原稿トレイ４０から給送されてきた原稿５を一時的に係止してスキュー補正を行った後に所定のタイミングで第１プラテン２０に送り込むレジロール４６と、上記第１プラテン２０上で原稿５を搬送するプラテンロール４７と、第１プラテン２０を通過した原稿５を上記排出トレイ４２へ排出する出口ロール４８とから構成されている。
【００２０】
更に、上記給紙ロール４４の直後には給送された原稿５を検出する給紙センサ５０が、上記レジロール４６の直前には当該レジロール４６を通過する原稿５を検出するレジセンサ５１が、上記出口ロール４８の直前には原稿５が原稿排出トレイ４２へ排出されたか否かを検出する出口センサ５２が夫々設けられており、前述した原稿搬送部４１の各ロールはこれらセンサの検出信号に同期した所定のタイミングで駆動されるようになっている。
【００２１】
また、上記原稿搬送部４１の入口には原稿トレイ４０にセットされた原稿５を検出する原稿検出センサ（図示せず）が設けられており、かかる原稿検出センサの出力をチェックすることにより、第１プラテン２０を用いたシートスルー方式によって原稿画像を読み込むか、第２プラテン２１を用いた光学系移動方式によって原稿画像を読み込むか否かを判断し得るようになっている。
【００２２】
図３は第１プラテン２０と第２プラテン２１との接続部付近を示す拡大図である。第１プラテン２０と第２プラテン２１との間には主走査方向に沿って仕切り部材６が設けられており、この仕切り部材６によって第１プラテン２０と第２プラテン２１とは区分されている。プラテンロール４７によって第１プラテン２０に押し付けられた原稿５の先端が出口ロール４８へ進入するのを容易なものとするため、仕切り部材６の第１プラテン２０側には傾斜面６０が形成されており、原稿５はその先端がこの傾斜面６０と摺接することによって第１プラテン２０から引き離されるようになっている。また、仕切り部材６の第２プラテン２１側には、第２プラテン２１にセットされるブック原稿を位置決めするためのリードレジ面６１が形成されている。この仕切り部材６は第２プラテン２１と一体化されており、光学系の部品の清掃や交換等の保守作業を行う際には、仕切り部材６共々第２プラテン２１を取り外すことにより、画像入力部２の筐体２２の上部が開放されるようになっている。
【００２３】
また、この図３に示された第１及び第２キャリッジ３０，３１の停止位置は、複写機１の主電源がオンになっている状態、すなわち画像入力部２が原稿画像の読込待機状態にあるときの第１及び第２キャリッジ３０，３１の停止位置（読込待機位置）を示している。この読込待機位置は第２プラテン２１を用いたブック原稿の読込開始位置に対応しており、第２プラテン２１の仕切り部材６側の端部の直下である。従って、ブック原稿が第２プラテン２１にセットされてコピースタートボタンが押圧される場合は、第１キャリッジ３０がこの読込待機位置からスタートして第２プラテン２１の下面に沿って紙面右方向へ移動することにより、直ちにブック原稿の画像の読込が開始される。一方、原稿トレイ４０に原稿５がセットされてコピースタートボタンが押圧される場合は、図４に示すように、第１キャリッジ３０が第１プラテン２０の直下に移動し、第１プラテン２０に密着して搬送される原稿５の画像を読み込むように構成されている。尚、図４中の一点鎖線は原稿５の搬送経路を示している。
【００２４】
しかし、このようにＡＤＦを用いたシートスルー方式によって原稿画像の読込を行うと、原稿５は仕切り部材６の傾斜面６０に摺接することによって第１プラテン２０から引き離されるので、かかる原稿５に付着していた消しゴム屑や埃が仕切り部材６によって払い落とされ、図５に示すように、仕切り部材６と第１プラテン２０との境界部に溜まり易い。このため、光学系部品の清掃や交換作業を行う際、図６に示すように、仮に第１キャリッジ３０を読取待機位置に設定したままの状態で仕切り部材６を第２プラテン２１と共に取り外すと、仕切り部材６と第１プラテン２０の境界部に溜まっていた埃等の異物が直下に位置する第１キャリッジ３０上に落下してしまい、照明ランプ２３やミラー２４等に付着してしまう。
【００２５】
そこで、本実施例の画像入力部２では、そのようなトラブルの発生を避けるため、光学系部品の清掃や交換といった保守作業を行う場合には、前記の読取待機位置に設定されていた第１キャリッジ３０を異物の付着し難い退避位置に設定し直すように構成した。退避位置の第１の例としては、仮に第１プラテン２０が着脱不能に設けられているのであれば、図７に示すように、第１プラテン２０の直下が有効である。第１プラテン２０と第１キャリッジ３０との隙間は２ｍｍ程度と極めて小さく、第１プラテン２０の下に第１キャリッジ３０を完全に収容し得るのであれば、埃等の異物を第１プラテン２０が遮蔽してくれるからである。また、読取待機位置から再設定する際の第１キャリッジ３０の移動量も僅かである。
【００２６】
更に、第１プラテン２０が保守作業の際に取り外されるのであれば、図８に示すように、第１プラテン２０の直下ではなく、画像入力部２の筐体によって上方を覆われた退避位置を設け、読取待機位置からこの筐体２２下の退避位置に第１キャリッジ３０を設定し直すのが良い。このように構成すれば、譬え光学系部品の保守作業の際に第１プラテン２０を取り外しても、退避位置に設定された第１キャリッジ３０は上方を筐体２２によって覆われているので、第１プラテン２０に付着していた埃等の異物が画像入力部２の筐体２２内に落下しても、これが照明ランプ２３や各種ミラー２４，２５，２６に付着してしまうトラブルを回避することができる。
【００２７】
また、第１キャリッジ３０の退避位置は必ずしも読取待機位置に対して第１プラテン２０側に設定される必要はなく、第２プラテン２１の反対側の端部、すなわち第２プラテン２１における仕切り部材６と反対側の端部の直下に設定しても良い。このようにすれば、第１キャリッジ３０は第２プラテンを挟んで仕切り部材と反対側に位置することにになるので、譬え光学系部品の保守作業の際に仕切り部材６から埃等の異物が落下したとしても、これが第１キャリッジ３０の上に降り注ぐことはない。いずれにしても、照明ランプ２３やミラー２４を搭載した第１キャリッジ３０が保守作業の際に第１プラテン２０と仕切り部材６の境界部の近傍に位置しないことが重要である。
【００２８】
上記保守作業の際に第１キャリッジ３０が必ず退避位置に設定されるよう、読取待機位置から退避位置への移動は自動的に行われるように構成することが望ましい。第２プラテン２１を取り外して行う保守作業に当たっては、作業開始前に複写機１の主電源、すなわち画像入力部２の電源をオフして行うのが通例であるから、本実施例の画像入力部２では、複写機１の主電源がオフされた場合に、読取待機位置に設定されていた第１キャリッジ３０を自動的に前述した退避位置に設定し直すように構成した。具体的には、複写機１の主電源スイッチのオフ操作がなされた場合に、画像入力部２の電源が遅れてオフされるように構成し、複写機主電源がオフされたと判断されると、第１キャリッジ３０が読取待機位置から退避位置に設定し直され、この再設定動作が終了した後に画像入力部２の電源がオフされるように構成した。このような構成によれば、画像入力部２の電源をオフした後に第２プラテン２１及び仕切り部材６の取り外しを行う際には、第１キャリッジ３０が必ず退避位置に設定されており、かかる取り外し作業の際に照明ランプ２３やミラー２４に対して異物が付着してしまうトラブルを防止することができる。
【００２９】
一方、主電源をオフすることなく第２プラテン２１及び仕切り部材６の取り外し作業が行われることも想定されることから、光学系部品の保守作業が予想されるような事態の場合、例えば第１又は第２プラテン２０，２１を用いた原稿５の読込動作中に異常動作や故障が発生した場合に、上記第１キャリッジ３０を読込待機位置に戻すことなく退避位置に設定するように構成するのも有効である。この場合、画像入力部２は第１キャリッジ３０を退避位置に設定すると同時に、複写機１の液晶ディスプレイ等のユーザインターフェースを介してその旨をユーザに通知するように構成すると更に良い。
【００３０】
また、第２プラテン２１そのものの取り外し作業を自動的に検知し、その結果に基づいて第１キャリッジ３０を退避位置に設定するように構成することも可能である。例えば、第２プラテン２１を画像入力部２の筐体２２に対して固定するための押さえ部材（図示せず）の着脱を検出するセンサを設け、かかるセンサの検出結果に基づいて第１キャリッジ３０を退避位置に設定するように構成する。上記センサとしては、押さえ部材の浮き上がりに応じてオン／オフされる接触型センサであっても良いし、押さえ部材の反射光量の変化でオン／オフする反射型フォトセンサであっても良い。このような構成によれば、第２プラテン２１及び仕切り部材６の取り外し作業が行われることを直接的に把握し、その結果として第１キャリッジ３０を退避位置に設定し直すことができるので、照明ランプ２３やミラー２４に対する異物の落下を確実に防止することが可能となる。
【００３１】
尚、ユーザや保守作業を行うサービスエンジニアの直接の指示、例えばユーザインターフェースを介して所定のコード入力を行う等により、意図的に第１キャリッジを読取待機位置から退避位置へ設定するように構成しても良いことは勿論である。
【００３２】
【発明の効果】
以上説明してきたように、本発明の原稿読取装置によれば、仕切り部材や第２プラテンを取り外して保守作業を行う際に、走査部材を読み取り待機位置とは別個に設けた退避位置に設定し直し、かかる走査部材を仕切り部材から遠ざけ、あるいは上方が覆われた空間内に収容した状態で仕切り部材の取り外し作業を行い得るように構成したので、上記保守作業の際に仕切り部材に付着していた埃等の異物が走査部材に付着してしまうトラブルを防止することができ、かかる付着に起因する読込画像の品質の低下を防止することが可能となる。
【図面の簡単な説明】
【図１】  本発明の原稿読取装置を装備した複写機の一例を示す斜視図である。
【図２】  本発明を適用した画像入力部の実施例の概略構成を示す正面断面図である。
【図３】  実施例に係る画像入力部の仕切り部材周辺を示す拡大断面図である。
【図４】  第１プラテンを用いたシートスルー方式での原稿読込の際の状態を示す拡大断面図である。
【図５】  第１プラテンと仕切り部材の境界部に異物が溜まる様子を示した図である。
【図６】  第２プラテンと仕切り部材とを取り外した際に生じる問題点を説明する図である。
【図７】  実施例に係る第１キャリッジの退避位置の例を示す拡大断面図である。
【図８】  実施例に係る第１キャリッジの退避位置の他の例を示す拡大断面図である。
【符号の説明】
４…ＡＤＦ（自動原稿搬送手段）、５…原稿、６…仕切り部材、２０…第１プラテン、２１…第２プラテン、３０…第１キャリッジ（走査部材）
【図１】
0003736362.tif 000002
【図２】
0003736362.tif 000003
【図３】
0003736362.tif 000004
【図４】
0003736362.tif 000005
【図５】
0003736362.tif 000006
【図６】
0003736362.tif 000007
【図７】
0003736362.tif 000008
【図８】
0003736362.tif 000009